(57)【要約】      （修正有）【課題】高圧空気によって用紙を搬送する用紙搬送装置を提供する。【解決手段】用紙搬送装置１００は、スキャナー２又はプリンターに設けられる、四方に壁を有する搬送経路１と、給気部３とを有する。搬送経路は、第１搬送経路１１及び第２搬送経路１２からなり、第２搬送経路中の壁には、スキャナーが設けられる。給気部は、用紙搬送装置から上向きに突出しており、給気部には、給気経路３１が開設される。給気経路は、第２搬送経路に連通され、高圧送風装置６にも接続される。高圧送風装置は、高圧空気を給気経路に継続的に注入する。高圧空気が給気経路に沿って第２搬送経路に入って、最終的に第２搬送経路の末端を通って用紙搬送装置から出ることで、給気経路と第２搬送経路と第１搬送経路との間にベンチュリ効果（Ｖｅｎｔｕｒｉ  ｅｆｆｅｃｔ）を発生させ、第１搬送経路において第２搬送経路方向への吸引力を発生させる。【選択図】図２
0003234084.tif 000002
【実用新案登録請求の範囲】
【請求項１】
スキャナー又はプリンターに設けられる、四方に壁を有する搬送経路と、給気部とを有する用紙搬送装置であって、
前記搬送経路は、第１搬送経路及び第２搬送経路からなり、
前記第２搬送経路中の壁には、スキャナーが設けられ、
前記給気部は、前記用紙搬送装置から上向きに突出しており、前記給気部には、給気経路が開設され、
前記給気経路は、前記第２搬送経路に連通され、高圧送風装置にも接続され、
前記高圧送風装置は、継続的に高圧空気を前記給気経路に注入し、
前記高圧空気が前記給気経路に沿って前記第２搬送経路に入って、最終的に前記第２搬送経路の末端を通って前記用紙搬送装置から出ることで、前記給気経路と前記第２搬送経路と前記第１搬送経路との間にベンチュリ効果を発生させ、前記第１搬送経路において前記第２搬送経路方向への吸引力を発生させる、
ことを特徴とする、
用紙搬送装置。
【請求項２】
前記第１搬送経路の高さは、前記第２搬送経路の高さより高く形成されることを特徴とする、
請求項１に記載の用紙搬送装置。
【請求項３】
前記第１搬送経路と前記第２搬送経路との間には、圧縮経路が設けられ、
前記圧縮経路は、前記第１搬送経路と前記第２搬送経路とを接続し、前記第１搬送経路の末端から徐々に高さを縮小して前記第２搬送経路の前端に接続される、
ことを特徴とする、
請求項２に記載の用紙搬送装置。
【請求項４】
前記搬送経路は、水平な経路であることを特徴とする、
請求項１に記載の用紙搬送装置。
【請求項５】
前記搬送経路における前記第２搬送経路は、横方向から見てＵ字型の経路であることを特徴とする、
請求項１に記載の用紙搬送装置。
【請求項６】
前記給気経路は、斜めに設けられ、前記搬送経路との間に夾角を有することを特徴とする、
請求項１に記載の用紙搬送装置。
【請求項７】
スキャナー又はプリンターに設けられる、チャンバーと、四方に壁を有する搬送経路と、給気部と、給紙部とを有する用紙搬送装置であって、
前記搬送経路の前端は、前記チャンバーに接続され、
前記搬送経路中の壁には、スキャナーが設けられ、
前記給気部は、前記用紙搬送装置から上向きに突出しており、前記給気部には、給気経路が開設され、
前記給気経路は、前記チャンバーに連通され、高圧送風装置にも接続され、
前記高圧送風装置は、高圧空気を前記給気経路に注入し、
前記給紙部は、給紙経路を有し、かつ、その出口端が前記チャンバーの中に突出しており、即ち、前記給紙部の出口端が前記チャンバーで覆われ、
前記高圧送風装置によって高圧空気を前記給気経路に送ると、前記高圧空気が前記給気経路を通って前記チャンバーに入って、かつ前記チャンバーから前記搬送経路に入って、そして前記搬送経路の末端を通って前記用紙搬送装置から出ることで、前記給紙経路にベンチュリ効果を発生させ、前記給紙経路において前記搬送経路への吸引力を発生させる、
ことを特徴とする、
用紙搬送装置。
【請求項８】
前記給紙経路の入口端の高さは、前記搬送経路より高く形成され、
前記給紙経路の高さは、入口端から出口端に向かって徐々に小さくなる、
ことを特徴とする、
請求項６に記載の用紙搬送装置。
【請求項９】
前記給紙経路の入口端の上面及び下面には、いずれも突出して形成されたガイド部が設けられることを特徴とする、
請求項６に記載の用紙搬送装置。
【請求項１０】
２つの前記ガイド部は、いずれも開口箇所に斜角を有することを特徴とする、
請求項７に記載の用紙搬送装置。
【考案の詳細な説明】
【技術分野】
【０００１】
本考案は、用紙搬送装置に関し、特に、高圧空気によって用紙を搬送する用紙搬送装置に関する。
【背景技術】
【０００２】
従来のスキャナーは、伝動システムの給紙機構を利用して用紙を搬送する。伝動システムにおいては、様々なローラー、ベルト、歯車、及びモーター等をよく使用する。従来のスキャナーの給紙システムは、一般的に、用紙が用紙ピックアップローラーを介してスキャナーに取り込まれ、さらにスキャンローラーを介してスキャンエリアに取り込まれ、最終的に排紙ローラーを介してスキャナーから排出される。上記ローラーの伝動源としては、通常、モーターを使用する。動力がモーターから歯車又はベルトを経て各ローラーに送られることで、用紙を搬送できる。
【０００３】
しかしながら、従来のスキャナーは、必要な素子が多いため、用紙搬送途中の安定性を確保するために、組み立てには多くの工数及びより高い精度が要求される。よって、製品の設計にはスペースを取る必要があるため、製品の外観サイズが制限される。
【０００４】
そのため、搬送の機能を維持しながら構成上必要なサイズを節約できる搬送装置が求められている。
【考案の概要】
【考案が解決しようとする課題】
【０００５】
本考案は、高圧空気によって用紙を搬送する用紙搬送装置を提供することを目的とする。
【課題を解決するための手段】
【０００６】
上記の目的を実現するために、本考案の用紙搬送装置は、スキャナー又はプリンターに設けられる、四方に壁を有する搬送経路と、給気部とを有する。搬送経路は、第１搬送経路及び第２搬送経路からなり、第２搬送経路中の壁には、スキャナーが設けられる。給気部は、用紙搬送装置から上向きに突出しており、前記給気部には、給気経路が開設される。給気経路は、第２搬送経路に連通され、高圧送風装置にも接続される。高圧送風装置は、継続的に高圧空気を給気経路に注入する。高圧空気が給気経路に沿って第２搬送経路に入って、最終的に第２搬送経路の末端を通って用紙搬送装置から出ることで、給気経路と第２搬送経路と第１搬送経路の間にはベンチュリ効果（Ｖｅｎｔｕｒｉ  ｅｆｆｅｃｔ）を発生させ、第１搬送経路において第２搬送経路方向への吸引力を発生させる。
【考案の効果】
【０００７】
上記のように、本考案の用紙搬送装置は、給気部によって高圧空気を給気経路に注入することにより、ベンチュリ効果を発生させる。それにより、用紙がベンチュリ効果による吸引力で用紙搬送装置に吸い込まれる。このようにすると、搬送装置の設計を簡素化すると共に用紙をスキャンする効果を達成することができる。
【図面の簡単な説明】
【０００８】
【図１】本考案に係る用紙搬送装置の実施例１の斜視図である。
【図２】図１のＩＩ−ＩＩ線に沿う断面図である。
【図３】本考案に係る用紙搬送装置の実施例２の斜視図である。
【図４】図３のＩＶ−ＩＶ線に沿う断面図である。
【図５】本考案に係る用紙搬送装置の実施例３の斜視図である。
【図６】図５のＶＩ−ＶＩ線に沿う断面図である。
【図７】図５のＶＩＩ−ＶＩＩ線に沿う断面図である。
【図８】本考案に係る用紙搬送装置の実施例３の他の視点から見る斜視図である。
【考案を実施するための形態】
【０００９】
以下、本考案の技術内容、構成特徴、目的、及び効果を詳しく説明するために、実施例について図面を参照しながら詳細に説明する。
【００１０】
図１に示すように、本考案の用紙搬送装置１００は、スキャナー又はプリンターに設けられる。
【００１１】
図１及び図２に示すように、本考案の実施例１において、用紙搬送装置１００は、四方に壁を有する水平な搬送経路１が開設されている。搬送経路１は、第１搬送経路１１、第２搬送経路１２、及び圧縮経路１３からなる。第１搬送経路１１の高さは、第２搬送経路１２の高さより高く形成される。第１搬送経路１１と第２搬送経路１２との間に圧縮経路１３が設けられる。圧縮経路１３は、第１搬送経路１１と第２搬送経路１２とを接続し、第１搬送経路１１の末端（図１における右側の端）から徐々に高さを縮小して第２搬送経路１２の前端（図１における左側の端）に接続される。第２搬送経路１２中には、スキャナー２が設けられる。用紙搬送装置１００は、上向きに突出して形成された給気部３を有する。給気部３は、給気経路３１が開設される。給気経路３１は、第２搬送経路１２に連通される。給気経路３１の入口端は、円形の開口であり、第２搬送経路１２に向かって徐々に拡径される。給気経路３１の出口端は、その幅が第２搬送経路１２の幅と一致し、かつ、第２搬送経路１２に連通される。
【００１２】
高圧送風装置６は、給気経路３１に接続され、継続的に高圧空気を給気経路３１に注入する。給気経路３１は、斜めに設けられる。即ち、給気経路３１と第１搬送経路１１との間には、夾角３１１を有する。このようにすると、給気経路３１中の高圧空気が第２搬送経路１２へより完全に搬送されるため、高圧空気が第１搬送経路１１に回流する状況を減少し、高圧空気が第１搬送経路１１の用紙吸引能に影響を及ぼすことが避けられる。高圧空気が給気経路３１に沿って第２搬送経路１２に入ると、第２搬送経路１２中の空気の流れが高圧空気によって加速されて末端（図１における右側の端、図４における左側の端）に流れる。その場合、第２搬送経路１２中の気圧は、第１搬送経路１１の気圧より低くなり、圧力差を生じる。前記圧力差があるため、高気圧の空気が低気圧の方向に流れる。よって、前記第１搬送経路１１中の空気が第２搬送経路１２に流れ、ベンチュリ効果を発生させる。ベンチュリ効果とは、流速が高い気体の付近に圧力が低くなり、吸引力を生じる効果である。そのため、給気経路３１及び第２搬送経路１２中の高圧空気の流れにより、第１搬送経路１１中には、第２搬送経路１２への吸引力を生じる。第１搬送経路１１中に用紙がある場合には、用紙が前記吸引力によって吸引され、第１搬送経路１１から第２搬送経路１２に搬送される。用紙は、第２搬送経路１２にある場合、高圧空気に押されて続けて搬送され、第２搬送経路１２中のスキャナー２を通った時にスキャンされ、最終的に第２搬送経路１２を通って用紙搬送装置１００から出る。
【００１３】
気体の流速は、流れの断面積によって変化する。流れの断面積が小さくなる場合に、断面積が一番小さい所で気体の流速が最大となる。即ち、気体の流速は、流れの断面積が小さくなるにつれて徐々に増加する。そのため、搬送経路１における圧縮経路１３によって、気体の流動は、高さが高い第１搬送経路１１から高さが低い第２搬送経路１２に向かって加速される。このようにすると、第１搬送経路１１の用紙吸引効果を向上させ、用紙が第２搬送経路１２に搬送される。
【００１４】
図３及び図４に示すように、本考案の実施例２は、基本的に実施例１と同じである。その相違点としては、搬送経路１における第２搬送経路１２は、横方向から見てＵ字型の経路である。前記横方向から見てＵ字型の経路により、用紙は、第１搬送経路１１から搬送経路１に入った後、横方向から見てＵ字型の経路である第２搬送経路１２を通って、第１搬送経路１１の前端（図４における左側の端）の位置に戻る。このようにすると、用紙進入側及び用紙取り出す側を同じ側に設けることができ、使用上の便利さを向上させる。
【００１５】
図５〜図８に示すように、本考案の実施例３の用紙搬送装置１００は、搬送経路１と、チャンバー４と、給紙部５とを有する。搬送経路１中には、スキャナー２が設けられる。搬送経路１の前端は、チャンバー４に接続される。用紙搬送装置１００は、上向きに突出して形成された給気部３を有する。給気部３は、給気経路３１が開設される。給気経路３１は、チャンバー４に連通され、高圧送風装置６に接続される。高圧送風装置６は、高圧空気を給気経路３１に注入する。給紙部５の出口端は、チャンバー４の中に突出する。即ち、給紙部５の出口端は、チャンバー４で覆われる。給紙部５は、給紙経路５１を有する。給紙経路５１の入口端の高さは、搬送経路１より高く形成される。給紙経路５１の高さは、入口端から出口端に向かって徐々に小さくなる。このような設計によれば、給紙経路５１の入口端から出口端へ向かう空気の流速を増加させ、用紙吸引力を向上させる。給紙経路５１の出口端は、チャンバー４に連通され、搬送経路１の近くに設けられる。給紙経路５１の入口端の上面及び下面は、いずれも突出して形成されたガイド部５１１が設けられる。２つのガイド部５１１は、いずれも開口箇所に斜角５１２を有する。使用者が用紙を用紙搬送装置１００に入れた場合には、ガイド部５１１の斜角５１２によって用紙を給紙経路５１に集中することができる。これにより、より便利に用紙を用紙搬送装置１００に入れてスキャンを行うことができる。
【００１６】
高圧送風装置６によって高圧空気を給気経路３１に送る場合に、高圧空気は、給気経路３１を通ってチャンバー４に入って、さらにチャンバー４から搬送経路１に入って、最終的に搬送経路１の出口端を通って用紙搬送装置１００から出る。搬送経路１中の空気の流れは、高圧空気によって加速されて出口端に流れる。その場合、搬送経路１中の気圧は、給紙経路５１中の気圧より低くなり、圧力差を生じる。前記圧力差があるため、高気圧の空気が低気圧の方向に流れる。よって、前記給紙経路５１中の空気が搬送経路１に流れ、ベンチュリ効果を発生させ、給紙経路５１中には、搬送経路１への吸引力を生じる。使用者が用紙を給紙部５の給紙経路５１に置いた場合には、用紙がベンチュリ効果による吸引力で搬送経路１に吸い込まれる。このようにすると、用紙は、搬送経路１に入って高圧空気に押されて、搬送経路１の末端（図６における右側の端）に向かって搬送され、スキャナーを通った時にスキャナーでスキャンされ、最終的に搬送経路１の末端（図６における右側の端）を通って用紙搬送装置１００から出る。それにより、用紙搬送装置１００による用紙の搬送及びスキャンを完成する。
【００１７】
実施例１及び実施例２においては、高圧空気が給気経路３１から第２搬送経路１２に入った時に、一部の高圧空気が第１搬送経路１１に流れて乱流を発生させ、第１搬送経路１１の吸引効果が影響を受ける。実施例３においては、高圧空気が給気経路３１からチャンバー４に入った時に、一部の高圧空気が搬送経路１に流れ、他の高圧空気がチャンバー４内に流れて環状気流になって搬送経路１に流れる。そのため、高圧空気が給紙経路５１に流れない。このようにすると、全ての高圧空気がチャンバー４から搬送経路１に流れるため、給紙経路５１が高圧空気によって妨害されない。実施例１及び実施例２に比べて、実施例３はより高い吸引効果を有する。
【００１８】
上記をまとめて、本考案の用紙搬送装置１００は、給気部３によって高圧空気を給気経路３１に注入してベンチュリ効果を発生させる。それにより、用紙がベンチュリ効果による吸引力で用紙搬送装置１００に吸い込まれる。このようにすると、搬送装置の設計を簡素化すると共に用紙をスキャンすることができる。
【符号の説明】
【００１９】
１００  用紙搬送装置
１  搬送経路
１１  第１搬送経路
１２  第２搬送経路
１３  圧縮経路
２  スキャナー
３  給気部
３１  給気経路
３１１  夾角
４  チャンバー
５  給紙部
５１  給紙経路
５１１  ガイド部
５１２  斜角
６  高圧送風装置
【図１】
0003234084.tif 000003
【図２】
0003234084.tif 000004
【図３】
0003234084.tif 000005
【図４】
0003234084.tif 000006
【図５】
0003234084.tif 000007
【図６】
0003234084.tif 000008
【図７】
0003234084.tif 000009
【図８】
0003234084.tif 000010
【手続補正書】
【提出日】令和3年6月25日(2021.6.25)
【手続補正１】
【補正対象書類名】実用新案登録請求の範囲
【補正対象項目名】全文
【補正方法】変更
【補正の内容】
【実用新案登録請求の範囲】
【請求項１】
スキャナー又はプリンターに設けられる、四方に壁を有する搬送経路と、給気部とを有する用紙搬送装置であって、
前記搬送経路は、第１搬送経路及び第２搬送経路からなり、
前記第２搬送経路中の壁には、スキャナーが設けられ、
前記給気部は、前記用紙搬送装置から上向きに突出しており、前記給気部には、給気経路が開設され、
前記給気経路は、前記第２搬送経路に連通され、高圧送風装置にも接続され、
前記高圧送風装置は、継続的に高圧空気を前記給気経路に注入し、
前記高圧空気が前記給気経路に沿って前記第２搬送経路に入って、最終的に前記第２搬送経路の末端を通って前記用紙搬送装置から出ることで、前記給気経路と前記第２搬送経路と前記第１搬送経路との間にベンチュリ効果を発生させ、前記第１搬送経路において前記第２搬送経路方向への吸引力を発生させる、
ことを特徴とする、
用紙搬送装置。
【請求項２】
前記第１搬送経路の高さは、前記第２搬送経路の高さより高く形成されることを特徴とする、
請求項１に記載の用紙搬送装置。
【請求項３】
前記第１搬送経路と前記第２搬送経路との間には、圧縮経路が設けられ、
前記圧縮経路は、前記第１搬送経路と前記第２搬送経路とを接続し、前記第１搬送経路の末端から徐々に高さを縮小して前記第２搬送経路の前端に接続される、
ことを特徴とする、
請求項２に記載の用紙搬送装置。
【請求項４】
前記搬送経路は、水平な経路であることを特徴とする、
請求項１に記載の用紙搬送装置。
【請求項５】
前記搬送経路における前記第２搬送経路は、横方向から見てＵ字型の経路であることを特徴とする、
請求項１に記載の用紙搬送装置。
【請求項６】
前記給気経路は、斜めに設けられ、前記搬送経路との間に夾角を有することを特徴とする、
請求項１に記載の用紙搬送装置。
【請求項７】
スキャナー又はプリンターに設けられる、チャンバーと、四方に壁を有する搬送経路と、給気部と、給紙部とを有する用紙搬送装置であって、
前記搬送経路の前端は、前記チャンバーに接続され、
前記搬送経路中の壁には、スキャナーが設けられ、
前記給気部は、前記用紙搬送装置から上向きに突出しており、前記給気部には、給気経路が開設され、
前記給気経路は、前記チャンバーに連通され、高圧送風装置にも接続され、
前記高圧送風装置は、高圧空気を前記給気経路に注入し、
前記給紙部は、給紙経路を有し、かつ、その出口端が前記チャンバーの中に突出しており、即ち、前記給紙部の出口端が前記チャンバーで覆われ、
前記高圧送風装置によって高圧空気を前記給気経路に送ると、前記高圧空気が前記給気経路を通って前記チャンバーに入って、かつ前記チャンバーから前記搬送経路に入って、そして前記搬送経路の末端を通って前記用紙搬送装置から出ることで、前記給紙経路にベンチュリ効果を発生させ、前記給紙経路において前記搬送経路への吸引力を発生させる、
ことを特徴とする、
用紙搬送装置。
【請求項８】
前記給紙経路の入口端の高さは、前記搬送経路より高く形成され、
前記給紙経路の高さは、入口端から出口端に向かって徐々に小さくなる、
ことを特徴とする、
請求項７に記載の用紙搬送装置。
【請求項９】
前記給紙経路の入口端の上面及び下面には、いずれも突出して形成されたガイド部が設けられることを特徴とする、
請求項７に記載の用紙搬送装置。
【請求項１０】
２つの前記ガイド部は、いずれも開口箇所に斜角を有することを特徴とする、
請求項９に記載の用紙搬送装置。